(57)【要約】【課題】    本発明は、様々な種類の鎖本体に使用できるとともに、鎖本体と連続的な外観意匠を醸し出して装飾性を向上させる装身チェーン用の止具を提供することにある。【解決手段】  挿通部４と受入部５とを備えており、挿通部４は、鎖本体２の一端側部を挿通する挿通孔７を有しており、受入部５は、挿通孔７と連続する受入孔８を有しており、受入孔８は、挿通孔７に挿入された鎖本体２を受け入れるものであり、挿通孔７と受入孔８の境界Ｌは、鎖本体２の任意の箇所で乗り越えて移動するように、孔幅が僅かに狭まっていることを特徴とする。【選択図】      図１
2015213606.tif 000002
【特許請求の範囲】
【請求項１】
挿通部と受入部とを備えており、挿通部は、鎖本体の一端側部を挿通する挿通孔を有しており、受入部は、挿通孔と連続する受入孔を有しており、受入孔は、挿通孔に挿入された鎖本体を受け入れるものであり、挿通孔と受入孔の境界は、鎖本体の任意の箇所で乗り越えて移動するように、孔幅が僅かに狭まっていることを特徴とする装身チェーン用の止具。
【請求項２】
挿通部と受入部とを備えており、挿通部は、鎖本体の一端部を挿入する挿通孔を有しており、受入部は、挿通孔と連続する受入孔を有しており、受入孔は、挿通孔に挿入された鎖本体を受け入れるものであり、挿通孔と受入孔の境界には、付勢力で孔間を閉塞状態に保ち且つ鎖本体の孔間の移動で押し広げることのできる開閉部材が設けてあることを特徴とする装身チェーン用の止具。
【請求項３】
受入部は、挿通部から捩じれて形成してあり、受入孔と挿通孔の開口する向きが相違していることを特徴とする請求項１又は２記載の装身チェーン用の止具。
【請求項４】
挿通部と受入部は、挿通孔と受入孔の境界の孔周縁部がテーパあるいはアール状に形成してあることを特徴とする請求項１、２又は３記載の装身チェーン用の止具。
【発明の詳細な説明】
【技術分野】
【０００１】
本発明は、コマと呼ばれるリング状の鎖構成部材を多数連結して鎖本体を無端状にする装身チェーン用の止具に関するものである。
【背景技術】
【０００２】
装身チェーンは、金やプラチナ、銀等の貴金属原料からなるコマとよばれるリング状をなす鎖構成部材を一続きに多数連結した鎖本体と、鎖本体を無端状に保持する止具とから構成されている。このうち止具は、鎖本体に連結あるいは保持する手段であることから、鎖本体の鎖構成部材に連結できる引輪や、あるいは、鎖本体を挿通して弾性部材で保持できるスライド金具などが使われていた。
【先行技術文献】
【特許文献】
【０００３】
【特許文献１】特開平１１−４６８２６号公報
【発明の概要】
【発明が解決しようとする課題】
【０００４】
上記のような装身チェーン用の止具にあっては、鎖構成部材に通して連結する引輪や、あるいは、鎖構成部材の外周部を保持するスライド式のものが一般的であった。しかしながら、いずれのものも、鎖本体に比べて止具を大きく形成しなければならず、さらに、引輪やスライド式の金具は、リング状あるいは球状と形状が制限されることから、貴金属品として装飾性を重視する装身チェーンにあっては、止具を取り付けることで美観を損ねる問題点があった。
【０００５】
本発明は、上記課題を鑑みてなされたものであり、様々な種類の鎖本体に使用できるとともに、鎖本体と連続的な外観意匠を醸し出して装飾性を向上させる装身チェーン用の止具を提供することにある。
【課題を解決するための手段】
【０００６】
本発明のうち請求項１記載の発明は、挿通部と受入部とを備えており、挿通部は、鎖本体の一端部を挿入する挿通孔を有しており、受入部は、挿通孔と連続する受入孔を有しており、受入孔は、挿通孔に挿入された鎖本体を受け入れるものであり、挿通孔と受入孔の境界は、鎖本体の任意の箇所で乗り越えて移動するように、孔幅が僅かに狭まっていることを特徴とすることを特徴とする。
【０００７】
本発明のうち請求項２記載の発明は、挿通部と受入部とを備えており、挿通部は、鎖本体の一端部を挿入する挿通孔を有しており、受入部は、挿通孔と連続する受入孔を有しており、受入孔は、挿通孔に挿入された鎖本体を受け入れるものであり、挿通孔と受入孔の境界には、付勢力で孔間を閉塞状態に保ち且つ鎖本体の孔間の移動で押し広げることのできる開閉部材が設けてあることを特徴とする。
【０００８】
本発明のうち請求項３記載の発明は、受入部は、挿通部から捩じれて形成してあり、受入孔と挿通孔の開口する向きが相違していることを特徴とする。
【０００９】
本発明のうち請求項４記載の発明は、挿通部と受入部は、挿通孔と受入孔の境界の孔周縁部がテーパあるいはアール状に形成してあることを特徴とする。
【発明の効果】
【００１０】
本発明の請求項１記載によれば、挿通部に鎖本体を挿通した後、鎖本体を挿通部から連続する受入部に入れようとしたとき、挿通部と受入部の境界を乗り越えて受入部に入り込む。これにより、受入部にある鎖本体は、上記の境界が狭まることにより、意図的に強い力を加えなければ挿通孔に再び移動して戻ることがなく、このことから、装身チェーンを身につけたときに不意に外れることがなく、しっかりと保持される。
【００１１】
本発明の請求項２記載の発明によれば、挿通部の挿通孔と受入部の受入孔の境界に、両側に押さえ部材を閉塞状態に付勢する開閉部材が配置してある。これにより、止具の挿通孔に入れた鎖本体の一側端部を受入孔に移動させるときに、鎖本体で閉じた状態の開閉部材を押し拡げ、さらに、受入孔に移動させたときには、開閉部材が弾性復帰により再び閉じることになる。したがって、鎖本体を止具で保持するときに、鎖本体を受入孔に入れやすくなる。また、鎖本体を受入孔に入れた後は開閉部材が付勢力で閉塞することにより、鎖本体が抜けにくくなるので、より使いやすい装身チェーンの止具とすることができる。さらに、開閉部材が挿通孔と受入孔の境界に配置されるものであるから、止具が鎖本体そのものを挟み込む構造ではないので、鎖本体の他、紐やロープなど多種多様なものを拘束することなく離脱不能に保持できる。
【００１２】
本発明の請求項３記載の発明によれば、受入部を捻ることにより、受入孔は、鎖本体を移動させる孔幅を確保しつつ、受入孔が開口する向きを捻った度合いに応じて自在に変えることができる。これにより、挿通孔に挿入した鎖本体を受入孔に移動させたときに、鎖本体の一端側部が挿通孔の開口する向きとは相違する方向に垂れ下げることができる。このことから、受入部を捩じる角度を任意に設定すれば、装身チェーンの外観意匠をより一層製造側が意図するものにすることでき、さらに、使用者が身につけたときに装着感の良好な装身チェーンを提供できる。
【００１３】
本発明の請求項４記載の発明によれば、挿通部の挿入孔および受入部の受入孔の孔周縁部がアール状または面取り状となっていることにより、受入孔に鎖本体を受け入れたときに、止具と鎖構成部材が滑らかに接触する。これにより、挿入孔と受入孔間の鎖本体の出し入れが円滑に行えるとともに、止具と鎖本体の双方に無理な力が加わらず、装身チェーンと止具の保護が図られることになる。
【図面の簡単な説明】
【００１４】
【図１】（ａ）（ｂ）は、本実施による装身チェーン用の止具の使用状態を示す斜視図である。
【図２】本実施による装身チェーンの止具の分解した斜視図である。
【図３】本実施による止具を適用した装身チェーンの全体を示す正面図である。
【図４】（ａ）乃至（ｄ）は、本実施による装身チェーン用の止具が鎖本体を受け入れて保持するときの作動状態を示す横断面図である。
【図５】（ａ）乃至（ｃ）は、本実施による装身チェーン用の止具が鎖本体を受け入れて保持するときの作用状態を示す協会で縦断面した手順図である。
【図６】（ａ）乃至（ｃ）は、本発明の他の実施形態を示す斜視図である。
【図７】本発明の他の実施形態を示す斜視図である。
【図８】図７の装身チェーン全体を示す正面図である。
【図９】（ａ）乃至（ｃ）は、本発明の他の実施形態を示す平面図である。
【発明を実施するための形態】
【００１５】
以下に、図面に基づいて本実施による装身チェーン用の止具について説明する。
本実施による装身チェーンは、図３のように、鎖本体２と、止具１とから構成されている。鎖本体２は、コマとも呼ばれる喜平の鎖構成部材３を一続きに多数連ねて形成されるものである。また、本実施による鎖本体２には、一端側部に挿通部材９が連結してある。そして、止具１は、図１（ａ）（ｂ）のように、その全体を一方側に長く且つ肉厚を薄く形成してあり、鎖本体２を挿通する挿通部４と、鎖本体２を受け入れる受入部５と、鎖本体２の他端側部を連結する被連結部６とから構成している。挿通部４には、ほぼ正円形をなす挿通孔７が設けてあり、さらに、受入部５には、挿通孔７から連続する長孔状をなす受入孔８が設けてある。  
【００１６】
また、止具１は、図２のように、外周形状がほぼ同じ形状をなす三枚の板材１ａ，１ｂ，１ｃを積層して構成されている。また、三枚のうちの中央の板材１ｂは、その他の板材１ａ，１ｃに比べて挿通孔７が大きく形成してある。これにより、三枚の板材１ａ，１ｂ，１ｃを積層したときに、挿通孔７の孔周縁部Ｅの中間に挿通孔７を囲む溝部７ａ（図４（ａ）乃至（ｄ）、図５（ａ）乃至（ｃ））が設けられる。さらに、挿通孔７と連続する受入孔８についても、その他の板材１ａ，１ｃに比べて大きく形成してある。これにより、ほぼＣ字状をなす開閉部材１０の両側端部１０ａ，１０ａの一部が、上記した挿通孔７の孔周縁部Ｅの溝部７ａに収容されるので、挿通孔７と受入孔８の境界Ｌで位置決めされることで開閉部材１０の両端部の位置が固定される。
【００１７】
本実施による装身チェーン用の止具の使用手順を、図４（ａ）乃至（ｄ）、図５（ａ）乃至（ｃ）に基づいて説明する。
第一の手順として、鎖本体２の一端側部に設けてある挿通部材９を止具１の挿通部４の挿通孔７に通す。
第二の手順として、挿通孔７と受入孔８の境界Ｌに対し、挿通孔７に通した鎖本体２の任意の鎖構成部材３は、肉厚の薄いほうを向け、鎖本体２を開閉部材１０の両側端部１０ａ，１０ａ間に移動する。
第三の手順として、鎖本体２を受入孔８側へさらに移動したときに、鎖本体２の鎖構成部材３を開閉部材１０の両側端部１０ａ，１０ａを付勢力に抗しながら押し拡げて乗り越えさせる。
第四の手順として、鎖本体２を受入孔８に移動させたときに、開閉部材１０は付勢力で弾性復帰し、開閉部材１０の両側端部１０ａ，１０ａが閉塞した状態に戻る。これにより、鎖本体２は、開閉部材１０によって受入孔８から容易に外れなくなる。
【００１８】
本実施による装身チェーン用の止具１を上記のように形成することにより、以下に示す作用、効果を奏することになる。
鎖本体２を構成する鎖構成部材３同士が連結してある比較的細い部分を挟み込むものであるから、止具１の肉厚は、従来あった鎖本体２に連結する引輪や、あるいは、鎖本体２の外周部を保持する金具類に比べて薄く係止できることで、鎖本体２と連続的な外観意匠の装身チェーンとすることができる。
また、図５（ａ）を参照すれば、止具１の挿通孔７と受入孔８の境界Ｌの孔周縁部Ｅは、板材１ａ，１ｃの角部が面取りしてあることで、滑らかな形状をなすことから、鎖本体２が当接したときに円滑に出入りさせることができる。さらに、鎖本体２や止具１に対して鎖本体２を移動したときの押圧力による強い負荷が加わらないことから、鎖本体２や止具１の表面を傷つけにくくなる。
【００１９】
本発明の装身チェーン用の止具の他の実施形態として、図６（ａ）乃至（ｃ）のように、挿通部４と受入部５の挿通孔７と受入孔８の境界Ｌの孔周縁部Ｅに付勢力による開閉部材１０を設けない構造とすることもできる。
本実施による止具１は、挿通部４の挿通孔７と受入部５の受入孔８の境界Ｌの孔幅が狭まっている。さらに、その境界Ｌの孔幅の狭まった箇所については、両側の孔内縁部１１，１１が僅かに膨らんで丸みを帯びた形状をなしている。これにより、図６（ａ）のように、鎖本体２を止具１の挿通孔７に挿通し、さらに、図６（ｂ）のように、鎖本体２を受入孔８との境界Ｌまで移動させる。このときに、鎖本体２が境界Ｌの両側の孔内縁部１１，１１を当接しながら押し拡げることで、その孔内縁部１１，１１を乗り越えるかたちで受入部５に移動する。さらに、図６（ｃ）のように、受入孔８に入った鎖本体２は、受入孔８の形成範囲内では移動自在であるが、使用者の意図的なものではなく、歩行時などの身体の動きと連動した不可抗力的な軽い力では、鎖本体２が挿通孔７との境界Ｌの孔内縁部１１，１１から抜け出ない構造となる。
【００２０】
本発明の他の実施形態として、図７のように、止具１の受入部５の中間部を約９０°捻り、受入孔８を挿通孔７側の符号８ａ、鎖本体２を保持する符号８ｂ、捩れ部１３に配置される符号８ｃの三つの範囲にそれぞれ分けるものである。尚、受入孔８については、符号８ａ乃至８ｃまで一続きに連続した長孔状となっている。このように形成すると、挿通孔７に挿通した鎖本体２は、境界Ｌを越えた後に、受入孔８の符号８ａの範囲に移動し、さらに、捩れ部１３の符号８ｃの受入孔８の範囲に移動した後、最終的に受入孔８の符号８ｂの範囲に留まる。したがって、本実施による装身チェーンを装着したときには、図８のように、鎖本体２が挿通孔７に通した方向とは、ほぼ９０°相違する向きで垂れさがることになる。このことから、止具１は、比較して広いほうの面が身体に接触し、さらに、鎖本体２についても、身体のラインに沿って垂れ下がるので、装着時の美観と装着感が向上する。また、受入孔８の捩れ部１３に配置される符号８ｃの範囲により、受入孔８の流れも変化することにより、符号８ｃの範囲においても鎖本体２の保持が期待できる。
【００２１】
図９（ａ）乃至（ｃ）も同様に、本発明の装身チェーン用の止具の他の実施形態を示すものである。
図９（ａ）に示す装身チェーン用の止具１は、止具１の全体を刀の鍔のように装飾したものである。具体的には、止具１の外周部１４を任意の意匠に形成することで、止具１自体が装飾性を有するものとして形成できる。また、図９（ｂ）のように、挿通部４の外周１５のみを装飾性を有することもでき、多種多様な外観意匠を有することができる。さらに、図９（ｃ）のように、挿通孔７の外周部の複数箇所に受入孔８を設けることもできるので、複数の鎖本体２を受入孔８で保持し、使用者の好みに合わせて様々に発展させることが可能となる。これにより、使用者の趣向により一層合わせることのできる装身チェーンとなる。
【符号の説明】
【００２２】
１  止具
１ａ，１ｂ，１ｃ  板材
２  鎖本体
３  鎖構成部材
４  挿通部
５  受入部
６  被連結部
７  挿通孔
８  受入孔
９  挿通部材
１０  開閉部材
１０ａ  両側端部
１１  孔内縁部
１３  捩れ部
１４  外周部
１５  外周
Ｅ  孔周縁部
Ｌ  境界
【図１】
2015213606.tif 000003
【図２】
2015213606.tif 000004
【図３】
2015213606.tif 000005
【図４】
2015213606.tif 000006
【図５】
2015213606.tif 000007
【図６】
2015213606.tif 000008
【図７】
2015213606.tif 000009
【図８】
2015213606.tif 000010
【図９】
2015213606.tif 000011